(57)【要約】      （修正有）【課題】上りリンクにおいて無線デバイスをスケジューリングするために、無線通信ネットワークのネットワークノードにより実行される方法を提供する。【解決手段】上りリンク信号構造は、無線デバイス及びネットワークノードに使用される様に構成され、上りリンク信号構造は、シンボル期間に分割される送信サブフレームを定義する。ネットワークノードは、ショート送信時間間隔（ｓＴＴＩ）スケジューリング間隔を適用し、各ｓＴＴＩは、サブフレームより時間的に短く、各ｓＴＴＩは、少なくとも１シンボル期間を有する。方法は、ｓＴＴＩスケジューリング間隔のために無線デバイスに制御情報メッセージを送信することを含む。制御情報メッセージは、無線デバイスに割り当てられた上りリンクスケジューリング情報を含む。上りリンクスケジューリング情報は、上りリンクｓＴＴＩにおける基準信号及びデータの少なくとも１つについての位置及び長さを示す。【選択図】図２
2020025281.tif 000002
【特許請求の範囲】
【請求項１】
上りリンク（４ｂ）において無線デバイス（４５０）をスケジューリングするため、無線通信ネットワーク（８）のネットワークノード（４００）により実行される方法であって、上りリンク信号構造が前記無線デバイス及び前記ネットワークノードに使用される様に構成され、前記上りリンク信号構造は、シンボル期間に分割される送信サブフレームを定義し、前記ネットワークノードは、ショート送信時間間隔（ｓＴＴＩ）スケジューリング間隔を適用し、各ｓＴＴＩは、サブフレームより時間的に短く、各ｓＴＴＩは、少なくとも１つのシンボル期間を含み、前記方法は、
ｓＴＴＩスケジューリング間隔のために前記無線デバイスに制御情報メッセージを送信すること（２１０）を含み、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、方法。
【請求項２】
請求項１に記載の方法であって、
前記上りリンクスケジューリング情報は、前記上りリンクｓＴＴＩにおける基準信号及びデータの両方についての位置及び長さを含む、方法。
【請求項３】
請求項１又は２に記載の方法であって、
前記上りリンクスケジューリング情報は、前記上りリンクｓＴＴＩの長さも示す、方法。
【請求項４】
請求項１から３のいずれか１項に記載の方法であって、
前記制御情報メッセージは、前記無線デバイスのみに特定である、方法。
【請求項５】
請求項１から４のいずれか１項に記載の方法であって、
前記上りリンクスケジューリング情報は、基準信号のみについての位置及び長さを示す、方法。
【請求項６】
請求項１から５のいずれか１項に記載の方法であって、
前記上りリンクスケジューリング情報は、複数の基準信号についての位置及び長さを示す、方法。
【請求項７】
請求項１から４のいずれか１項に記載の方法であって、
前記上りリンクスケジューリング情報は、データのみについての位置及び長さを示す、方法。
【請求項８】
請求項１から７のいずれか１項に記載の方法であって、さらに、
送信された前記制御情報メッセージに従い、前記上りリンクｓＴＴＩで前記無線デバイスから基準信号及びデータの少なくとも１つを受信すること（２２０）を含む、方法。
【請求項９】
請求項１から８のいずれか１項に記載の方法であって、
前記基準信号及びデータの少なくとも１つは、ショート物理上りリンク共用チャネル（ｓＰＵＳＣＨ）又はショート物理上りリンク制御チャネル（ｓＰＵＣＣＨ）で受信される、方法。
【請求項１０】
請求項１から９のいずれか１項に記載の方法であって、
前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む、方法。
【請求項１１】
無線通信ネットワークで動作し、シンボル期間に分割される送信サブフレームを定義する上りリンク信号構造を使用し、上りリンクにおいて無線デバイスをスケジューリングし、ショート送信時間間隔（ｓＴＴＩ）スケジューリング間隔を適用する様に構成されたネットワークノード（４００）であって、各ｓＴＴＩは、サブフレームより時間的に短く、各ｓＴＴＩは、少なくとも１つのシンボル期間を含み、前記ネットワークノードは、プロセッサ（４０１）と、命令を格納するメモリ（４０２）と、を備え、前記命令は、前記プロセッサで実行されると、前記ネットワークノードに、
ｓＴＴＩスケジューリング間隔のために前記無線デバイスに向けて制御情報メッセージを送信させ、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、ネットワークノード。
【請求項１２】
請求項１１に記載のネットワークノード（４００）であって、
前記上りリンクスケジューリング情報は、前記上りリンクｓＴＴＩにおける基準信号及びデータの両方についての位置及び長さを示す、ネットワークノード。
【請求項１３】
請求項１１又は１２に記載のネットワークノード（４００）であって、
前記上りリンクスケジューリング情報は、前記上りリンクｓＴＴＩの長さも示す、ネットワークノード。
【請求項１４】
請求項１１から１３のいずれか１項に記載のネットワークノード（４００）であって、
前記制御情報メッセージは、前記無線デバイスのみに特定である、ネットワークノード。
【請求項１５】
請求項１１から１４のいずれか１項に記載のネットワークノード（４００）であって、
前記上りリンクスケジューリング情報は、基準信号のみについての位置及び長さを示す、ネットワークノード。
【請求項１６】
請求項１１から１５のいずれか１項に記載のネットワークノード（４００）であって、
前記上りリンクスケジューリング情報は、複数の基準信号についての位置及び長さを示す、ネットワークノード。
【請求項１７】
請求項１１から１４のいずれか１項に記載のネットワークノード（４００）であって、
前記上りリンクスケジューリング情報は、データのみについての位置及び長さを示す、ネットワークノード。
【請求項１８】
請求項１１から１７のいずれか１項に記載のネットワークノード（４００）であって、
前記プロセッサで実行されると、前記ネットワークノードに、
送信された前記制御情報メッセージに従い、前記上りリンクｓＴＴＩで前記無線デバイスから基準信号及びデータの少なくとも１つを受信させる命令をさらに含む、ネットワークノード。
【請求項１９】
請求項１１から１８のいずれか１項に記載のネットワークノード（４００）であって、
前記基準信号及びデータの少なくとも１つは、ショート物理上りリンク共用チャネル（ｓＰＵＳＣＨ）又はショート物理上りリンク制御チャネル（ｓＰＵＣＣＨ）で受信される、ネットワークノード。
【請求項２０】
請求項１１から１９のいずれか１項に記載のネットワークノード（４００）であって、
前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む、ネットワークノード。
【請求項２１】
ネットワークノード（４００）であって、
上りリンクにおいて無線デバイスをスケジューリングするため、無線通信ネットワークの前記ネットワークノードにより制御情報メッセージを送信する手段を備え、上りリンク信号構造が、前記無線デバイス及び前記ネットワークノードにより使用される様に構成され、前記上りリンク信号構造は、シンボル期間に分割される送信サブフレームを定義し、前記ネットワークノードは、ショート送信時間間隔（ｓＴＴＩ）スケジューリング間隔を適用し、各ｓＴＴＩは、サブフレームより時間的に短く、各ｓＴＴＩは、少なくとも１シンボル期間を有し、前記制御情報メッセージは、ｓＴＴＩスケジューリング間隔のために前記無線デバイスに送信される様に構成され、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、ネットワークノード。
【請求項２２】
無線通信ネットワークのネットワークノードの動作のためのコンピュータプログラム（９１）であって、前記コンピュータプログラムは、シンボル期間に分割される送信サブフレームを定義する上りリンク信号構造を使用し、上りリンクにおいて無線デバイスをスケジューリングし、ショート送信時間間隔（ｓＴＴＩ）スケジューリング間隔を適用する様に構成され、各ｓＴＴＩは、サブフレームより時間的に短く、各ｓＴＴＩは、少なくとも１つのシンボル期間を含み、前記コンピュータプログラムは、コンピュータプログラムコードを有し、前記コンピュータプログラムコードは、前記ネットワークノードで実行されると、前記ネットワークノードに、
ｓＴＴＩスケジューリング間隔のために前記無線デバイスに向けて制御情報メッセージを送信させ、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、コンピュータプログラム。
【請求項２３】
請求項２２に記載のコンピュータプログラム（９１）と、前記コンピュータプログラムが格納された格納されたコンピュータ可読記憶媒体と、を有するコンピュータプログラム製品（９０）。
【請求項２４】
上りリンクにおいて信号を送信するため、無線通信ネットワークの無線デバイスにより実行される方法であって、前記無線デバイスにより使用される上りリンク信号構造が、シンボル期間に分割される送信サブフレームを定義し、前記無線デバイスは、上りリンクにおいて、ショート送信時間間隔（ｓＴＴＩ）スケジューリング間隔でスケジューリングされ、各ｓＴＴＩは、サブフレームより時間的に短く、各ｓＴＴＩは、少なくとも１つのシンボル期間を含み、前記方法は、
ｓＴＴＩスケジューリング間隔のために前記無線通信ネットワークのネットワークノードから制御情報メッセージを受信すること（３１０）であって、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、前記受信することと、
受信した前記制御情報メッセージに従い、前記上りリンクｓＴＴＩで基準信号及びデータの少なくとも１つを送信すること（３２０）と、を含む方法。
【請求項２５】
請求項２４に記載の方法であって、
前記上りリンクスケジューリング情報は、前記上りリンクｓＴＴＩにおける基準信号及びデータの両方についての位置及び長さを含む、方法。
【請求項２６】
請求項２４又は２５に記載の方法であって、
前記上りリンクスケジューリング情報は、前記上りリンクｓＴＴＩの長さも示す、方法。
【請求項２７】
請求項２４から２６のいずれか１項に記載の方法であって、
前記制御情報メッセージは、前記無線デバイスのみに特定である、方法。
【請求項２８】
請求項２４から２７のいずれか１項に記載の方法であって、
前記上りリンクスケジューリング情報は、基準信号のみについての位置及び長さを示す、方法。
【請求項２９】
請求項２４から２８のいずれか１項に記載の方法であって、
前記上りリンクスケジューリング情報は、複数の基準信号についての位置及び長さを示す、方法。
【請求項３０】
請求項２４から２７のいずれか１項に記載の方法であって、
前記上りリンクスケジューリング情報は、データのみについての位置及び長さを示す、方法。
【請求項３１】
請求項２４から３０のいずれか１項に記載の方法であって、
前記基準信号及びデータの少なくとも１つは、ショート物理上りリンク共用チャネル（ｓＰＵＳＣＨ）又はショート物理上りリンク制御チャネル（ｓＰＵＣＣＨ）で送信される、方法。
【請求項３２】
請求項２４から３１のいずれか１項に記載の方法であって、
前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む、方法。
【請求項３３】
無線通信ネットワークで動作し、シンボル期間に分割される送信サブフレームを定義する上りリンク信号構造を使用し、上りリンクにおいてショート送信時間間隔（ｓＴＴＩ）スケジューリング間隔でスケジューリングされる様に構成された無線デバイス（４５０）であって、各ｓＴＴＩは、サブフレームより時間的に短く、各ｓＴＴＩは、少なくとも１つのシンボル期間を含み、前記無線デバイス（４５０）は、プロセッサ（４５１）と、命令を格納するメモリ（４５２）と、を備え、前記命令は、前記プロセッサで実行されると、前記無線デバイス（４５０）に、
ｓＴＴＩスケジューリング間隔のために前記無線通信ネットワークのネットワークノードから制御情報メッセージを受信させることであって、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、前記受信させることと、
受信した前記制御情報メッセージに従い、前記上りリンクｓＴＴＩで基準信号及びデータの少なくとも１つを送信させることと、を実行させる無線デバイス。
【請求項３４】
請求項３３に記載の無線デバイス（４５０）であって、
前記上りリンクスケジューリング情報は、前記上りリンクｓＴＴＩにおける基準信号及びデータの両方についての位置及び長さを示す、無線デバイス。
【請求項３５】
請求項３３又は３４に記載の無線デバイス（４５０）であって、
前記上りリンクスケジューリング情報は、前記上りリンクｓＴＴＩの長さも示す、無線デバイス。
【請求項３６】
請求項３３から３５のいずれか１項に記載の無線デバイス（４５０）であって、
前記制御情報メッセージは、前記無線デバイスのみに特定である、無線デバイス。
【請求項３７】
請求項３３から３６のいずれか１項に記載の無線デバイス（４５０）であって、
前記上りリンクスケジューリング情報は、基準信号のみについての位置及び長さを示す、無線デバイス。
【請求項３８】
請求項３３から３７のいずれか１項に記載の無線デバイス（４５０）であって、
前記上りリンクスケジューリング情報は、複数の基準信号についての位置及び長さを示す、無線デバイス。
【請求項３９】
請求項３３から３６のいずれか１項に記載の無線デバイス（４５０）であって、
前記上りリンクスケジューリング情報は、データのみについての位置及び長さを示す、無線デバイス。
【請求項４０】
請求項３３から３９のいずれか１項に記載の無線デバイス（４５０）であって、
前記基準信号及びデータの少なくとも１つは、ショート物理上りリンク共用チャネル（ｓＰＵＳＣＨ）又はショート物理上りリンク制御チャネル（ｓＰＵＣＣＨ）で送信される、無線デバイス。
【請求項４１】
請求項３３から４０のいずれか１項に記載の無線デバイス（４５０）であって、
前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む、無線デバイス。
【請求項４２】
無線デバイス（４５０）であって、
上りリンクで信号を送信するため、無線通信ネットワークのネットワークノードから制御情報メッセージを受信する手段であって、前記無線デバイスにより使用される上りリンク信号構造は、シンボル期間に分割される送信サブフレームを定義し、前記無線デバイスは、上りリンクにおいて、ショート送信時間間隔（ｓＴＴＩ）スケジューリング間隔でスケジューリングされ、各ｓＴＴＩは、サブフレームより時間的に短く、各ｓＴＴＩは、少なくとも１シンボル期間を含み、前記制御情報メッセージは、ｓＴＴＩ間隔のためであり、前記無線デバイスに割り当てられた上りリンクスケジューリング情報を有し、前記上りリンクスケジューリング情報は、前記上りリンクｓＴＴＩにおける基準信号及びデータの少なくとも１つについての位置及び長さを示す、前記受信する手段と、
受信した前記制御情報メッセージに従い、前記上りリンクｓＴＴＩにおいて、基準信号及びデータの少なくとも１つを送信する手段と、を備えている無線デバイス。
【請求項４３】
上りリンクにおいて信号を送信するための、無線通信ネットワークの無線デバイスによる動作のためのコンピュータプログラム（９１）であって、
前記無線デバイスにより使用される上りリンク信号構造は、シンボル期間に分割される送信サブフレームを定義し、前記無線デバイスは、上りリンクにおいて、ショート送信時間間隔（ｓＴＴＩ）スケジューリング間隔でスケジューリングされ、各ｓＴＴＩは、サブフレームより時間的に短く、各ｓＴＴＩは、少なくとも１つのシンボル期間を含み、前記コンピュータプログラムは、コンピュータプログラムコードを有し、前記コンピュータプログラムコードは、前記無線デバイスで実行されると、前記無線デバイスに、
ｓＴＴＩスケジューリング間隔のために前記無線通信ネットワークのネットワークノードから制御情報メッセージを受信させることであって、前記制御情報メッセージは、前記無線デバイスに割り当てられた上りリンクスケジューリング情報を含み、前記上りリンクスケジューリング情報は、前記上りリンクｓＴＴＩにおける基準信号及びデータの少なくとも１つについての位置及び長さを示す、前記受信させることと、
受信した前記制御情報メッセージに従い、前記上りリンクｓＴＴＩで基準信号及びデータの少なくとも１つを送信させることと、を実行させるコンピュータプログラム。
【請求項４４】
請求項４３に記載のコンピュータプログラム（９１）と、前記コンピュータプログラムが格納されたコンピュータ可読手段と、を有するコンピュータプログラム製品（９０）。
【発明の詳細な説明】
【技術分野】
【０００１】
本開示は、無線通信ネットワークの上りリンクのスケジューリングに関し、より詳しくは、ネットワークノードがショートＴＴＩ（送信時間間隔）スケジューリング間隔を適用する際のスケジューリングに関する。
【背景技術】
【０００２】
パケットデータの遅延は、ベンダ、オペレータ及びエンドユーザが、（速度テストアプリケーションにより）定期的に測定するパフォーマンスメトリックの１つである。遅延測定は、新しいソフトウェアリリース又は新しいシステム部品を検証するとき、システムを配置するとき、システムが商用動作に入るときといった、無線アクセスネットワークシステムのライフタイムの総てのフェーズにおいて行われる。
【０００３】
ロングタームエボリューション（ＬＴＥ）の設計の指針となる１つのパフォーマンスメトリックは、第３世代パートナーシッププロジェクト（３ＧＰＰ）により定義される、以前の無線アクセス技術（ＲＡＴ）より良い遅延である。現在、エンドユーザにより、ＬＴＥは、前の世代の移動無線技術より速いインターネットアクセスと、より低いデータ遅延を提供するシステムとして認識されている。
【０００４】
パケットデータ遅延は、システムの知覚される応答性のためのみならず、システムのスループットに間接的に影響するパラメータとして重要である。ハイパーテキストトランスポートプロトコル／トランスポート制御プロトコル（ＨＴＴＰ／ＴＣＰ）は、今日のインターネットで使用されている支配的なアプリケーション、かつ、転送レイヤプロトコル群である。ＨＴＴＰアーカイブ、ｈｔｔｐ：／／ｈｔｔｐａｒｃｈｉｖｅ．ｏｒｇ／ｔｒｅｎｄｓ．ｐｈｐによると、インターネット上のＨＴＴＰに基づくトランザクションの典型的なサイズは、数十キロバイトから１メガバイトである。この範囲のサイズにおいて、ＴＣＰスロー開始期間は、パケットストリームの全転送期間の大部分となる。ＴＣＰスロー開始の間、未確認であり得る、つまり、送信されたが確認されていないトラフィック量を定義する"輻輳制御ウィンドウ"がＴＣＰにより使用され、パケット遅延は、どれだけ速く輻輳制御ウィンドウを最適化できるかにより制限される。よって、遅延を改良することで、ＴＣＰに基づくデータトランザクションといったタイプの平均スループットは改良される。
【０００５】
一般的に、遅延減少は、無線リソース効率に望ましい影響を与える。より低いパケットデータ遅延は、所定の遅延範囲内で送信可能な数を増加させ、よって、より高いブロック誤り率（ＢＬＥＲ）ターゲットを使用することで、自由な無線リソースを増加させ、潜在的にシステム容量を改良することができる。
【０００６】
ここで、"スケジューリング間隔"は、リソースをスケジューリングする際に割り当てられる時間の最小ユニットである。ＬＴＥにおいて、スケジューリング間隔は、送信時間間隔（ＴＴＩ）として参照される。パケット遅延減少について取り組むべき１つの領域は、ＴＴＩの長さの対処による、データ及び制御シグナリングの転送時間の減少である。ＬＴＥリリース８において、ＴＴＩは、１ミリ秒の長さの１つのサブフレーム（ＳＦ）に対応する。１ミリ秒のＴＴＩは、通常のサイクリックプレフィクス（ＣＰ）の場合には、１４ＯＦＤＭ（直交周波数分割多重）又はＳＣ−ＦＤＭＡ（シングルキャリア周波数分割多重アクセス）シンボルで構成され、拡張ＣＰの場合には、１２ＯＦＤＭ又はＳＣ−ＦＤＭＡシンボルで構成される。ＬＴＥリリース１３において、３ＧＰＰは、ＬＴＥリリース８のＴＴＩより大変短いＴＴＩでの送信の利用を研究している。
【０００７】
この開示において、ショートＴＴＩとしても参照されるサブ−サブフレーム（ＳＳＦ）の概念を導入することにより、ＴＴＩは、リリース８のＴＴＩと比較して短くされ得ることが想定される。これらのより短いＴＴＩ又はｓＴＴＩ（ＳＳＦとも知られる）は、任意の時間期間を有するものとして決定され、１ミリ秒のＳＦ内の複数のＯＦＤＭ又はＳＣ−ＦＤＭＡシンボル上のリソースを有する。一例として、ＳＳＦの期間は、０．５ミリ秒であり、通常のＣＰの場合には、７ＯＦＤＭ又はＳＣ−ＦＤＭＡシンボルを有する。
【０００８】
上りスケジューリンググラント
既存の物理レイヤ下りリンク制御チャネル（ＰＤＣＣＨ：物理下りリンク制御チャネル）及び拡張ＰＤＣＣＨ（ｅＰＤＣＣＨ）は、スケジューリング決定及び電力制御コマンドの様な下りリンク制御情報（ＤＣＩ）を搬送するために使用されている。ＰＤＣＣＨ及びｅＰＤＣＣＨの両方は、１ミリ秒のサブフレーム（ＳＦ）毎に一度送信される。この開示を通じ、ショートＰＤＣＣＨ（ｓＰＤＣＣＨ）は、各ＳＳＦに一度送信される下りリンクの物理制御チャネルを示すものとして使用される。同様に、ショート物理下りリンク共用チャネル（ｓＰＤＳＣＨ）及びショート物理上りリンク共用チャネル（ｓＰＵＳＣＨ）は、それぞれ、各ＳＳＦに一度送信される下りリンク及び上りリンクの物理共用チャネルを示すものとして使用される。
【０００９】
現在、３ＧＰＰ  ＴＳ３６．２１２（リリース１０）  Ｖ１２．６．０のセクション５．３．３．１に規定されている様に、上りリンク及び下りリンクリソース割当のために、複数の異なる下りリンク制御情報（ＤＣＩ）フォーマットが存在する。上りスケジューリンググラントは、ＤＣＩフォーマット０又はＤＣＩフォーマット４を使用する。後者のＤＣＩフォーマット４は、上りリンク空間多重をサポートするためにリリース１０で追加されたものである。
【００１０】
一般的に、上りリンク（ＵＬ）スケジューリンググラントのためのＤＣＩは、以下のものを含む。
・リソース割り当て情報
・キャリアインジケータ
・リソース割り当てタイプ
・リソースブロック割り当て 
・ＲＳ及びデータに関する情報
・変調及び符号化法（ＭＣＳ）
・新たなデータインジケータ
・上りリンクの復調基準信号（ＤＭＲＳ）のサイクリックシフト
・プリコーディング情報
・送信電力制御
・他の情報
・サウンディング基準信号（ＳＲＳ）要求
・チャネル状態情報（ＣＳＩ）要求
・ＵＬインデクス（時分割複信（ＴＤＤ）のため）
・ＤＣＩフォーマット０／１Ａの表示（ＤＣＩフォーマット０及び１Ａのみ）
・パディング
・端末の無線ネットワークテンポラリ識別子（ＲＮＴＩ）でスクランブルされたサイクリックリダンダンシーチェック（ＣＲＣ）
【００１１】
ＳＳＦ長の動的切替
上述した様に、遅延を減少させる１つの方法は、ＴＴＩを減少させることである。１ミリ秒の時間期間、つまり、１サブフレームでリソースを割り当てる代わりに、リソースは、例えば、ＳＳＦといった１サブフレームより短い期間で割り当てられ得る。より短い期間、又は、ＳＳＦは、例えば、ＯＦＤＭ又はＳＣ−ＦＤＭＡシンボルの数で定義され得る。これは、その様なより短いスケジューリング割り当てを示すことを可能にする、ＵＥ（ユーザ装置）に特定の制御シグナリングの必要性を暗示する。
【００１２】
さらに、従来の１ミリ秒のＴＴＩとより短いＴＴＩとの切り替えや、より短い異なるＴＴＩ間の切り替えといった、異なるＴＴＩ又はＳＳＦ期間を動的に切り替えることができることも必要である。より短いＴＴＩは、高いオーバヘッド、及び／又は、復調能力の低下をもたらすので、スペクトラル効率を適切にすることが必要である。
【発明の概要】
【発明が解決しようとする課題】
【００１３】
既存アプローチの潜在的な問題
既存動作、例えば、フレーム構造及び制御シグナリングは、割り当て帯域幅内でのみ変化できる、１ミリ秒の固定長サブフレームでのデータ割り当てのために設計されている。特に、現在のＤＣＩは、全サブフレームのリソース割り当てを定義している。
【００１４】
上述した問題の幾つかに取り組み、上りリンク送信のためにｓＴＴＩ期間を動的に構成することを可能にする解決策を提供することを目的とする。
【課題を解決するための手段】
【００１５】
本発明の態様によると、本目的及び他の目的は、ｅＮｏｄｅＢの様なネットワークノードが実行する方法と、ユーザ装置（ＵＥ）の様な無線デバイスが実行する方法により達成される。さらに、方法を実行する様に構成されるネットワークノード及び無線デバイスが提供される。更なる態様によると、目的は、コンピュータプログラム及びコンピュータプログラム製品により達成される。
【００１６】
第１態様によると、上りリンクにおいて無線デバイスをスケジューリングするために、無線通信ネットワークのネットワークノードにより実行される方法が提示される。上りリンク信号構造は、無線デバイス及びネットワークノードに使用される様に構成され、上りリンク信号構造は、シンボル期間に分割される送信サブフレームを定義する。ネットワークノードは、ショート送信時間間隔（ｓＴＴＩ）スケジューリング間隔を適用し、各ｓＴＴＩは、サブフレームより時間的に短く、各ｓＴＴＩは、少なくとも１シンボル期間を有する。方法は、ｓＴＴＩスケジューリング間隔のために無線デバイスに制御情報メッセージを送信することを含み、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示す。
【００１７】
第２態様によると、無線通信ネットワークで動作する様に構成され、シンボル期間に分割される送信サブフレームを定義する上りリンク信号構造を使用する様に構成されたネットワークノードが提示される。ネットワークノードは、上りリンクにおいて無線デバイスをスケジューリングし、ショート送信時間間隔（ｓＴＴＩ）スケジューリング間隔を適用する様に構成される。各ｓＴＴＩは、サブフレームより時間的に短く、各ｓＴＴＩは、少なくとも１シンボル期間を有する。ネットワークノードは、プロセッサと、命令を格納するメモリと、を有し、命令がプロセッサにより実行されると、ｓＴＴＩスケジューリング間隔のために無線デバイスに向けて制御情報メッセージをネットワークノードに送信させ、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示す。
【００１８】
第３態様によると、上りリンクにおいて無線デバイスをスケジューリングするため、無線通信ネットワークのネットワークノードにより制御情報メッセージを送信する手段を有する、ネットワークノードが提供される。上りリンク信号構造は、無線デバイス及びネットワークノードに使用される様に構成される。送信サブフレームを定義する上りリンク信号構造は、シンボル期間に分割され、ネットワークノードは、ショート送信時間間隔（ｓＴＴＩ）スケジューリング間隔を適用する。各ｓＴＴＩは、サブフレームより時間的に短く、各ｓＴＴＩは、少なくとも１シンボル期間を有する。制御情報メッセージは、ｓＴＴＩスケジューリング間隔のために無線デバイスに送信される様に構成される。制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示す。
【００１９】
第４態様によると、無線通信ネットワークのネットワークノードの動作のためのコンピュータプログラムが提示される。ネットワークノード及び無線デバイスは、シンボル期間に分割される送信サブフレームを定義する上りリンク信号構造を使用する様に構成され、上りリンクにおいて無線デバイスをスケジューリングする様に構成され、ショート送信時間間隔（ｓＴＴＩ）スケジューリング間隔を適用する様に構成される。各ｓＴＴＩは、サブフレームより時間的に短く、各ｓＴＴＩは、少なくとも１シンボル期間を有する。コンピュータプログラムは、コンピュータプログラムコードを有し、コンピュータプログラムコードは、ネットワークノードで実行されると、ｓＴＴＩスケジューリング間隔のために無線デバイスに向けて制御情報メッセージをネットワークノードに送信させ、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示す。
【００２０】
第５態様によると、第４態様によるコンピュータプログラムと、コンピュータプログラムが格納されたコンピュータ可読手段と、を有するコンピュータプログラム製品が提示される。
【００２１】
第６態様によると、上りリンクで信号を送信するため、無線通信ネットワークの無線デバイスにより実行される方法が提示される。無線デバイスにより使用される上りリンク信号構造は、シンボル期間に分割される送信サブフレームを定義する。無線デバイスは、上りリンクにおいて、ショート送信時間間隔（ｓＴＴＩ）スケジューリング間隔でスケジューリングされる。各ｓＴＴＩは、サブフレームより時間的に短く、各ｓＴＴＩは、少なくとも１シンボル期間を有する。方法は、ｓＴＴＩスケジューリング間隔のために無線通信ネットワークのネットワークノードから制御情報メッセージを受信することであって、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示す、前記受信することと、受信した制御情報メッセージに従い、上りリンクｓＴＴＩにおいて、基準信号及びデータの少なくとも１つを送信さすることと、を含む。
【００２２】
第７態様によると、無線通信ネットワークでの動作のために構成された無線デバイスが提示される。無線デバイスは、シンボル期間に分割される送信サブフレームを定義する上りリンク信号構造を使用する様に構成され、上りリンクにおいて、ショート送信時間間隔（ｓＴＴＩ）スケジューリング間隔でスケジューリングされる様に構成される。各ｓＴＴＩは、サブフレームより時間的に短く、各ｓＴＴＩは、少なくとも１シンボル期間を有する。無線デバイスは、プロセッサと、命令を格納するメモリと、を有し、命令がプロセッサにより実行されると、ｓＴＴＩ間隔のために無線通信ネットワークのネットワークノードから制御情報メッセージを無線デバイスに受信させ、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示し、受信した制御情報メッセージに従い、上りリンクｓＴＴＩにおいて、基準信号及びデータの少なくとも１つを無線デバイスに送信させる。
【００２３】
第８態様によると、上りリンクで信号を送信するため、無線通信ネットワークのネットワークノードから制御情報メッセージを受信する手段を含む無線デバイスが提示される。無線デバイスにより使用される上りリンク信号構造は、シンボル期間に分割される送信サブフレームを定義し、無線デバイスは、上りリンクにおいて、ショート送信時間間隔（ｓＴＴＩ）スケジューリング間隔でスケジューリングされる。各ｓＴＴＩは、サブフレームより時間的に短く、各ｓＴＴＩは、少なくとも１シンボル期間を有する。制御情報メッセージは、ｓＴＴＩ間隔のためであり、無線デバイスに割り当てられた上りリンクスケジューリング情報を有する。上りリンクスケジューリング情報は、上りリンクｓＴＴＩにおける基準信号及びデータの少なくとも１つの位置及び長さを示す。無線デバイスは、受信した制御情報メッセージにしたがい、上りリンクｓＴＴＩにおいて、基準信号及びデータの少なくとも１つを送信する手段も有する。
【００２４】
第９態様によると、上りリンクで信号を送信するため、無線通信ネットワークの無線デバイスによる動作のためのコンピュータプログラムが提示される。無線デバイスにより使用される上りリンク信号構造は、シンボル期間に分割される送信サブフレームを定義する。無線デバイスは、上りリンクにおいて、ショート送信時間間隔（ｓＴＴＩ）スケジューリング間隔でスケジューリングされる。各ｓＴＴＩは、サブフレームより時間的に短く、各ｓＴＴＩは、少なくとも１シンボル期間を有する。コンピュータプログラムは、コンピュータプログラムコードを有し、コンピュータプログラムコードは、無線デバイスで実行されると、ｓＴＴＩスケジューリング間隔のために無線通信ネットワークのネットワークノードから制御情報メッセージを無線デバイスに受信させ、制御情報メッセージは、無線デバイスに割り当てられた上りリンクスケジューリング情報を含み、上りリンクスケジューリング情報は、上りリンクｓＴＴＩにおける基準信号及びデータの少なくとも１つの位置及び長さを示し、受信した制御情報メッセージに従い、上りリンクｓＴＴＩにおいて、基準信号及びデータの少なくとも１つを無線デバイスに送信させる。
【００２５】
第１０態様によると、第９態様によるコンピュータプログラムと、コンピュータプログラムが格納されたコンピュータ可読手段と、を有するコンピュータプログラム製品が提示される。 
【００２６】
提示する様々な実施形態の結果としての多くの効果がある。
・ＳＳＦの自由で素早い構成
・ユーザデータ無しにＤＭＲＳの様な基準信号をスケジューリングし、かつ、送信できる可能性と、基準信号無しにユーザデータをスケジューリングし、かつ、送信できる可能性
・スロー共通グラント、つまり、周期的に割り当てるグラントと、結合された基準信号とデータファストグラントと、を持つことによる少ない制御シグナリングオーバヘッド
・１つのシンボルが制御情報で高負荷となる状態をさけるための、幾つかの下りリンクシンボルに分散されるファストグラント
・結合された基準信号とデータグラントとを使用することによる、特殊なケースを処理するための複雑性の低下
【００２７】
用語ｓＴＴＩ及びＳＳＦは、同じ概念及び等価物を参照している。よって、用語ＳＳＦが使用される場合、これは、ｓＴＴＩと置換でき、その逆も同様である。
【００２８】
実施形態の他の目的、利点及び特徴について、図面を参照して以下に説明する。
【００２９】
一般的に、請求の範囲で使用される総ての用語は、本明細書において明示的に定義しない限り、本技術分野の通常の意味に従い解釈される。要素、装置、部品、手段、ステップ等への言及は、明示的に述べられない限り、オープン的に、要素、装置、部品、手段、ステップ等の少なくとも１つを参照しているものと解釈される。本開示の任意の方法のステップは、明示的に述べられない限り、開示されているものと正確に同じ順序で実行される必要はない。
【００３０】
本発明の少なくとも１つの実施形態について、添付の図面を参照し、例示目的で説明を行う。
【図面の簡単な説明】
【００３１】
【図１】本開示の実施形態が適用される環境を示す図。
【図２】種々の実施形態による、異なるｓＰＵＳＣＨのためのファスト上りリンクグラントの利用を示す図。
【図３】幾つかの実施形態によるネットワークノードでの方法を示すフローチャート。
【図４】幾つかの実施形態による無線デバイスでの方法を示すフローチャート。
【図５】一実施形態による図５の無線デバイスの機能モジュールを示す図。
【図６】ＧＰＳプリアンブルを含む低周波データ・ストリームの一部を示す図。
【図７】一実施形態による図５のネットワークノードの機能モジュールを示す図。
【図８】コンピュータ可読手段を有するコンピュータプログラム製品の一例を示す図。
【発明を実施するための形態】
【００３２】
本発明の特定の実施形態を示す添付の図面を参照して、以下では本発明の詳細について説明する。しかしながら、本発明は、多くの異なるフォーマットで実現され、本発明は、ここで述べる実施形態には限定されず、むしろ、これらの実施形態は、本開示を完全にし、当業者に本発明の範囲を完全に伝えるための例として提示される。本開示を通じて、同様の参照符号は、同様の構成要素を示す。
【００３３】
以下において、特定の実施形態及び添付の図面を参照することで、異なる態様の詳細を述べる。異なる実施形態の理解を提供するために、特定のシナリオ及び技術の様な、特定の詳細が、限定ではなく説明のために設定される。しかしながら、これらの特定の詳細とは異なる他の実施形態も存在する。
【００３４】
図１は、本実施形態が適用される環境を示す図である。
【００３５】
実施形態は、ＬＴＥで実現される通信ネットワーク８の例示的なシナリオに関する、制限しない一般的な文脈で記載され、通信ネットワーク８において、ｅＮｏｄｅＢは、ＤＣＩで上りリンクグラントを送信することにより、上りリンクにおいてＵＥのスケジューリングを行う。しかしながら、実施形態は、同様の手順で上りリンクのスケジューリングを行う任意のネットワーク技術に適用され得る。ＤＣＩは、任意タイプの制御情報であり、ＤＭＲＳは、任意タイプの基準信号であり得る。さらに、ここで述べる例示的なシナリオにおいて、ｅＮｏｄｅＢ及びＵＥは、ＯＦＤＭ又はＳＣ−ＦＤＭＡシンボルに分割される送信サブフレームを定義する信号構造を使用する。無線デバイス４５０は、上りリンクにおいて、サブ−サブフレームスケジューリング間隔でスケジューリングされ、上りリンクのサブ−サブフレームは、１つ以上のＳＣ−ＦＤＭＡシンボルを含む。しかしながら、実施形態は、他のシンボル期間のシンボルに適用され得る。
【００３６】
幾つかの実施形態において、より一般的な用語"ネットワークノード"４００が使用され、それは、ＵＥ及び／又は他のネットワークノードと通信する、任意タイプの無線ネットワークノード、又は、任意タイプのネットワークノードに対応する。ネットワークノードの例は、ＮｏｄｅＢ、基地局（ＢＳ）、マルチ標準無線（ＭＳＲ）ＢＳの様なＭＳＲ無線ノード、ｅＮｏｄｅＢ、ネットワークコントローラ、無線ネットワークコントローラ（ＲＮＣ）、基地局コントローラ（ＢＳＣ）、中継器、ドナーノード制御中継器、ベース送受信機局（ＢＴＳ）、アクセスポイント（ＡＰ）、送信ポイント、送信ノード、分散アンテナシステム（ＤＡＳ）のノード、コアネットワークノードである。
【００３７】
無線ネットワークノード４００は、中央機能及びインターネットの様な広域ネットワーク７への接続性のため、コアネットワーク３にも接続される。
【００３８】
幾つかの実施形態において、制限しない用語ＵＥ４５０が使用され、それは、セルラ又は移動通信システムのネットワークノード及び／又は他のＵＥと通信する任意タイプの無線デバイスを参照する。ＵＥの例は、ターゲットデバイス、デバイス・トゥ・デバイス（Ｄ２Ｄ）ＵＥ、マシンタイプＵＥ若しくはマシン・トゥ・マシン（Ｍ２Ｍ）通信が可能なＵＥ、ＰＤＡ、ＰＡＤ、タブレット、移動端末、スマートフォン、ラップトップエンベディッドイクイップド（ＬＥＥ）、ラップトップに実装された装置（ＬＭＥ）、ＵＳＢドングル等である。
【００３９】
ネットワークノード４００と無線デバイス４５０との間の無線インタフェース上で、下りリンク（ＤＬ）通信４ａが、無線ネットワークノード１から無線デバイス２に生じ、上りリンク（ＵＬ）通信４ｂが、無線デバイス２から無線ネットワークノード１に生じる。各無線デバイス２への無線インタフェースの品質は、フェージング、マルチパス伝搬、干渉等の影響により、時間及び無線デバイス２の位置に応じて変化する。
【００４０】
ＳＳＦ構成をサポートする1つの方法は、ＰＤＣＣＨを使用するＳＳＦ制御のために新たなＤＣＩフォーマットを定義することである。新たなＤＣＩフォーマットは、時間領域の分割フィールドを導入することによりＳＳＦ構成をサポートするために定義され得る。しかしながら、その様な新たなＤＣＩフォーマットがＰＤＣＣＨの使用に基づき設計されているのであれば、ＰＤＣＣＨは各サブフレームに一度だけ送信されるので、ＳＳＦスケジューリング決定は、サブフレーム毎にのみ行われる。
【００４１】
別の提案する解決策は、上りリンクグラントのためのＤＣＩフォーマットを２つの部分に分割することである。1つの部分は、スローグラント又はスローＤＣＩとして参照され、別の部分は、ファストグラント又はファストＤＣＩとして参照される。スローグラントは、周波数リソース割り当て情報を含む。このスローグラントは、下りリンクのサブフレームに基づき送信される。スローグラントは、無線デバイス又はＵＥ４５０のグループで共通である。ファストグラントは、デバイス又はＵＥ個別であり、下りリンクのシンボルに基づき送信される。この様に、ファストグラントは、異なるＳＳＦで異なり得る。上りリンク送信のためのＳＳＦ期間の動的構成は、ファストグラントで搬送される情報に基づき実行される。ファストグラント又はＤＣＩは、ｓＰＤＣＣＨ送信を使用して無線端末ＵＥ４５０に搬送され得る。無線端末ＵＥ４５０は、異なるｓＰＤＣＣＨ候補リソースを監視し、当該端末に向けられたｓＰＤＣＣＨ送信の複号を試みる。成功すると、ｓＰＤＣＣＨからのファストグラント又はＤＣＩは、（スローグラント又はＤＣＩと共に）ＵＥのためのｓＰＤＳＣＨ  ＤＬ割り当て又はｓＰＵＳＣＨ  ＵＬグラントを判定するために使用され得る。上りリンク送信において、ＴＴＩ長を減少させるとき、各ＴＴＩで送信される基準信号を伴う１つ以上のＳＣ−ＦＤＭＡシンボルは、オーバヘッドを増加させ、よって、データレートを減少させる。
【００４２】
別の解決策は、同じＵＥに対して近いときにＤＭＲＳ送信が生じていると、ｓＰＤＳＣＨにＤＭＲＳを必ずしも含めないことである。この解決策において、下りリンクＳＳＦにおけるＤＭＲＳの存在は、ｓＰＤＣＣＨでシグナリングされる。代わりに、ＵＥは、ＤＭＲＳが存在する、或いは、ＤＭＲＳが存在しないとの２つの想定の下、送信信号をブラインドで復号することを試みる。この解決策は、ｅＮｏｄｅＢが下りリンク送信をスケジューリングし、実際に下りリンク送信を行う場合に、下りリンク送信における基準信号を減少させることに注目している。上りリンク送信において、ｅＮｏｄｅＢは、ＵＥが上りリンク送信を行っている間に、送信をスケジューリングする。
【００４３】
よって、別の解決策によると、各ｓＰＵＳＣＨのための個別の基準信号グラント及びデータグラントを導入することにより、上りリンクのＳＳＦのためのフレキシブルなＤＭＲＳが可能になる。この方法は、ＳＳＦの自由かつ素早い再構成を可能にし、ＵＥがユーザデータを送信すること無しにＤＭＲＳを送信することを可能にする。しかしながら、基準信号及びデータのグラントを分離することは、制御シグナリングオーバヘッドを増加させる。さらに、異なるタイプのグラントをユーザが正しく検出できないといった特殊なケースを処理するための複雑さを増加させる。
【００４４】
本開示の実施形態において、制御シグナリングオーバヘッド及び複雑さの増加は、ＲＳ及びデータシンボルの位置及び長さと、ＳＳＦの長さを示す、ファスト上りリンクグラント又はファストＤＣＩを使用することにより解決される。その様な、ファスト上りリンクグラントは、ＳＳＦで送信されるｓＰＵＳＣＨの自由な構成を可能にする。さらに、ファスト上りリンクグラントは、スケジューリング間隔においてデータ送信無しでのＤＭＲＳ送信をスケジューリングすることを可能にし、ＤＭＲＳ送信無しでのデータ送信をスケジューリングすることを可能にする。
【００４５】
提案するファスト上りリンクグラント
提案するファスト上りリンクグラント又はファストＤＣＩは、下りリンクにおいてシンボル毎に送信され、ユーザ個別、つまり、各無線デバイス４５０に個別である。このファスト上りリンクグラントは、ｓＰＵＳＣＨのための基準信号及びデータ構成の両方に関する情報を含み得る。ファスト上りリンクグラントは、基準信号及びデータシンボル両方の位置及び長さと、ＳＳＦの長さを示すことにより、ＳＳＦの自由な構成を可能にする。
【００４６】
図２は、一実施形態による、通常のサイクリックプレフィクスの場合の、異なるＳＳＦ長での異なるｓＰＵＳＣＨのための提案するファスト上りリンクグラント１６ａ〜１６ｃの利用を示している。以下、ファストＤＣＩとしても参照されるファスト上りリンクグラントを、簡略化のため、ファストグラントとしても参照する。図２の上側は下りリンク１１を示し、下側は、上りリンク１４を示している。図２において、時間は、左から右に進行し、上りリンク１４と下りリンク１１は同期している。各サブフレーム１２は、１４のシンボル期間１３を有する。
【００４７】
上述した様に、各サブフレームのために、スローグラント１５ａ及び１５ｂが存在する。さらに、図示する様に、１つ以上のＵＥのためにファストグラント１６ａ〜１６ｄが存在する。
【００４８】
上りリンクを示す図２の下側において、下側に示す表は、上りリンク無線リソースのＵＥへの割り当てを示し、各セルは、１シンボルの送信を示している。文字"Ｒ"は、基準信号の送信を示している。
【００４９】
一実施形態において、ファストグラントは、ファストグラント送信から固定数後のシンボルにおいて有効である。他の方法において、制御情報メッセージ送信から定義されたシンボル数後に開始するサブ−サブフレームで、ファストグラントのスケジューリング情報を有効とすることである。この定義されたシンボル数は、ネットワーク及びＵＥに事前に定義又は事前に構成しておくことができる。図２に示す実施形態において、ファストグラントは、伝送後、４シンボル目で有効であると想定している。この様に、ＵＥ１〜５のためのファストグラント１６ａは、ＳＦ０のシンボル１０で送信され、このグラントは、ＳＦ１のシンボル０、つまり、ファストグラント送信後の４シンボル目で有効である。同様に、ＵＥ６のファストグラントは、ＳＦ１のシンボル３で送信され、ＳＦ１のシンボル７で有効である。ＵＥ７のファストグラントは、ＳＦ１のシンボル１０で送信され、ＳＦ２のシンボル０で有効である。ＵＥ８のファストグラントは、ＳＦ１のシンボル１１で送信され、ＳＦ２のシンボル１で有効である。ＵＥ９のファストグラントは、ＳＦ１のシンボル１２で送信され、ＳＦ２のシンボル２で有効である。ＵＥ１０及び１１のファストグラントは、ＳＦ１のシンボル１３で送信され、このグラントは、ＳＦ２のシンボル３で有効である。
【００５０】
別の実施形態において、ファストグラントが有効であるときを示す少しのビットをファストグラントに追加する。
【００５１】
ＳＳＦ構成の主要パラメータ
以下では、ＳＳＦ構成の異なる例示的な実施形態１〜６について説明する。あるＳＳＦの第１シンボルは、ファストグラントが有効であるときのシンボルとして定義される。
【００５２】
例示的実施形態１
最初の例示的実施形態において、ＳＳＦ構成は、以下の３つのパラメータで示される。
・ＤＭＲＳ位置（ｒｓ＿ｐｏｓｉｔｉｏｎ＿ｉｄ）：このパラメータは、ある上りリンクＳＳＦ内のＤＭＲＳの位置を特定する。ｒｓ＿ｐｏｓｉｔｉｏｎ＿ｉｄの値は、例えば、｛１，２，３，４，５，６，７｝を含み、ｒｓ＿ｐｏｓｉｔｉｏｎ＿ｉｄ＝ｎは、ＤＭＲＳが、このＳＳＦのｎ番目のシンボルで送信されることを示している。一実施形態によると、ＳＳＦ当たり２つ以上のＤＭＲＳシンボルを特定することが必要である場合、さらなるビットがパラメータに追加される。
・データシンボル開始位置（ｄ＿ｓｔａｒｔ＿ｉｄｘ）：このパラメータは、データシンボルの開始位置を示している。ｄ＿ｓｔａｒｔ＿ｉｄｘの値は、例えば、｛１，２，３，４，５，６，７｝を含み、ｄ＿ｓｔａｒｔ＿ｉｄｘ＝ｎは、データ送信が、このＳＳＦのｎ番目のシンボルから開始されることを示している。
・データ長（ｄ＿ｌｅｎｇｔｈ）：このパラメータは、ＳＳＦのデータ部の長さを示している。より詳しくは、ｄ＿ｌｅｎｇｔｈの値は、この上りリンクデータ送信に割り当てられた時間領域でのシンボル数を示している。ｄ＿ｌｅｎｇｔｈの値は、｛０，１，２，３，４，５，６，１３｝を含み得る。
【００５３】
表１は、図２に示す異なるＵＥのための３つのパラメータの対応する値を示している。
【００５４】
【表１】
2020025281.tif 000003
【００５５】
一実施形態において、ｄ＿ｌｅｎｇｔｈ＝０は、このＳＳＦにおいてＤＭＲＳのみがスケジューリングされていることを示すために使用される。代わりに、０以外の予め定義したｄ＿ｌｅｎｇｔｈの値を、この目的のために使用することができる。他の実施形態において、ｄ＿ｓｔａｒｔ＿ｉｄｘ＝０は、このＳＳＦにおいてＤＭＲＳのみがスケジューリングされていることを示すために使用される。代わりに、０以外の予め定義したｄ＿ｓｔａｒｔ＿ｉｄｘの値を、この目的のために使用することができる。さらに他の実施形態において、ｒｓ＿ｐｏｓｉｔｉｏｎ＿ｉｄ＝０は、このＳＳＦにおいて基準信号が送信されないことを示すために使用される。代わりに、０以外の予め定義したｒｓ＿ｐｏｓｉｔｉｏｎ＿ｉｄの値を、この目的のために使用することができる。これは、基準信号が以前のＳＳＦで送信され、チャネル変動が小さく、以前のＳＳＦによるチャネル推定が現在のＳＳＦで使用できる場合に有効であり得る。さらに他の実施形態において、ＳＳＦ当たり２以上のＤＭＲＳシンボルを指定できるように、ｒｓ＿ｐｏｓｉｔｉｏｎ＿ｉｄの２つ以上の値が提供される。
【００５６】
例示的実施形態２
例示的実施形態２において、ＳＳＦ構成は、３つのパラメータ、つまり、ＤＭＲＳ位置（ｒｓ＿ｐｏｓｉｔｉｏｎ＿ｉｄ）、データ長（ｄ＿ｌｅｎｇｔｈ）、ＤＭＲＳのサイクリックシフトインデクスで示される。最初の２つのパラメータは、実施形態１と同じである。しかしながら、本実施形態において、ＳＳＦにおけるデータシンボルの開始位置（ｄ＿ｓｔａｒｔ＿ｉｄｘ）は、ＤＭＲＳのサイクリックシフトインデクスにより示される。表２は、データシンボルの開始位置と、サイクリックシフトインデクスとのマッピング例を示している。ここで、ｄ＿ｓｔａｒｔ＿ｉｄｘ＝ｎは、データ送信が、このＳＳＦのｎ番目のシンボルから開始されることを暗示している。
【００５７】
【表２】
2020025281.tif 000004
【００５８】
一実施形態において、ｄ＿ｌｅｎｇｔｈ＝０は、このＳＳＦにおいてＤＭＲＳのみがスケジューリングされていることを示すために使用される。代わりに、０以外の予め定義したｄ＿ｌｅｎｇｔｈの値を、この目的のために使用することができる。他の実施形態において、ｒｓ＿ｐｏｓｉｔｉｏｎ＿ｉｄ＝０は、このＳＳＦにおいて基準信号が送信されないことを示すために使用される。代わりに、０以外の予め定義したｒｓ＿ｐｏｓｉｔｉｏｎ＿ｉｄの値を、この目的のために使用することができる。さらに他の実施形態において、ＳＳＦ当たり２以上のＤＭＲＳシンボルを指定できるように、ｒｓ＿ｐｏｓｉｔｉｏｎ＿ｉｄの２つ以上の値が提供される。
【００５９】
例示的実施形態３
実施形態３において、ＳＳＦ構成は、以下の３つのパラメータで示される。
・時間オフセット（ｔｉｍｅ＿ｏｆｆｓｅｔ＞０）：タイムオフセットは、ＳＳＦの最初のシンボルとターゲットシンボル位置（つまり、データシンボルの開始位置又はＤＭＲＳの位置）との間のシンボル数を示す。
・シフトフラグ（ｓｈｉｆｔ＿ｆｌａｇ）：このパラメータは、時間オフセットがデータシンボルに適用されているか、或いは、ＤＭＲＳに適用されているかを示している。例えば、ｓｈｉｆｔ＿ｆｌａｇ＝０であると、時間オフセットがデータシンボルに適用され、ＤＭＲＳはＳＳＦの第１シンボルにあり、ｓｈｉｆｔ＿ｆｌａｇ＝１であると、時間オフセットがＤＭＲＳに適用され、データシンボルは、ＳＳＦの第１シンボルから開始される。しかしながら、シフトフラグは、反対の方法で、つまり、時間オフセットがＤＭＲＳに適用されていることを、ｓｈｉｆｔ＿ｆｌａｇ＝０で示すことができる。
・データ長（ｄ＿ｌｅｎｇｔｈ）：例示的実施形態１で定義したのと同様。
【００６０】
【表３】
2020025281.tif 000005
【００６１】
表３は、図２に示す異なるＵＥのための、ｔｉｍｅ＿ｏｆｆｓｅｔｓｈｉｆｔ＿ｆｌａｇ、ｄ＿ｌｅｎｇｔｈの対応する値を示している。一実施形態において、ｄ＿ｌｅｎｇｔｈ＝０は、このＳＳＦにおいてＤＭＲＳのみがスケジューリングされていることを示すために使用される。他の実施形態において、ｔｉｍｅ＿ｏｆｆｓｅｔ＝０及びｓｈｉｆｔ＿ｆｌａｇ＝０は、このＳＳＦにおいてＤＭＲＳのみがスケジューリングされていることを示すために使用される。さらに他の実施形態において、ｔｉｍｅ＿ｏｆｆｓｅｔ＝０及びｓｈｉｆｔ＿ｆｌａｇ＝１は、このＳＳＦにおいてＤＭＲＳが送信されないことを示すために使用される。さらに他の実施形態において、ＴＴＩ当たり２以上の基準信号を指定できるように、ｔｉｍｅ＿ｏｆｆｓｅｔの２つ以上の値が提供される。
【００６２】
例示的実施形態４
例示的実施形態４において、ＳＳＦ構成は、開始位置（ｓｔａｒｔ＿ｉｄｘ）及びデータ長（ｄ＿ｌｅｎｇｔｈ）の２つのパラメータで示される。
・開始位置（ｓｔａｒｔ＿ｉｄｘ）：このパラメータは、ある上りリンクＳＳＦ内のデータシンボルの開始位置及びＤＭＲＳシンボルの開始位置を示している。より詳しくは、ＳＳＦの開示時にデータシンボルが送信されるか、ＤＭＲＳシンボルが送信されるかが、ｓｔａｒｔ＿ｉｄｘの値の符号により決定される。
・ｓｔａｒｔ＿ｉｄｘ＜０であると、
・ＳＳＦの最初のシンボルでデータが開始する。ファストグラントが有効であるとき、ＳＳＦの最初のシンボルは、シンボルとして定義される。
・ＤＭＲＳは、ＳＳＦの最初のシンボル後、｜ｓｔａｒｔ＿ｉｄｘ｜シンボルで送信される。ここで、｜ｓｔａｒｔ＿ｉｄｘ｜は、ｓｔａｒｔ＿ｉｄｘの絶対値である。
・ｓｔａｒｔ＿ｉｄｘ＞０であると、
・ＤＭＲＳは、ＳＳＦの最初のシンボルで送信される。
・データは、ＳＳＦのシンボルｓｔａｒｔ＿ｉｄｘで開始する。
【００６３】
表４は、ｓｔａｒｔ＿ｉｄｘの３ビットマッピングの例を示している。
【００６４】
【表４】
2020025281.tif 000006
【００６５】
データ長（ｄ＿ｌｅｎｇｔｈ）：実施形態１で定義したのと同様。
【００６６】
表５は、図２に示す異なるＵＥのための、ｓｔａｒｔ＿ｉｄｘ、ｄ＿ｌｅｎｇｔｈの対応する値を示している。
【００６７】
【表５】
2020025281.tif 000007
【００６８】
一実施形態において、ＴＴＩ当たり２以上の基準信号を指定できるように、ｓｔａｒｔ＿ｉｄｘの２つ以上の値が提供される。さらに他の実施形態において、ｓｔａｒｔ＿ｉｄｘの１つの値は、このＴＴＩにおいて基準信号が送信されないことを示すために使用される。これは、基準信号が既に以前のＴＴＩで送信され、チャネル変動が小さく、以前のＴＴＩによるチャネル推定が現在のＴＴＩで使用できる場合に有効であり得る。さらに他の実施形態において、ｄ＿ｌｅｎｇｔｈ＝０は、このＳＳＦにおいてＤＭＲＳのみがスケジューリングされていることを示すために使用される。さらなる実施形態において、パラメータｄ＿ｌｅｎｇｔｈは、ＳＳＦの長さを示すＳＳＦ＿ｌｅｎｇｔｈに置き換えられ得る。この実施形態は、ここで開示する他の総ての実施形態と組み合わせることができる。
【００６９】
例示的実施形態５
実施形態５において、ＳＳＦ構成は、少数の制御情報ビットでＳＳＦ構成のサブセットをサポートするための１つのパラメータ（ＳＳＦ＿ｃｏｎｆｉｇ＿ｉｄｘ）で示される。表６は、ＳＳＦ＿ｃｏｎｆｉｇ＿ｉｄｘ（３つの制御情報ビット）の値と、ＳＳＦ構成とのマッピング例を示している。
【００７０】
【表６】
2020025281.tif 000008
【００７１】
表６によると、図２のＵＥ１、６、１０、１２及び１３のためのＳＳＦ構成は、それぞれ、ＳＳＦ＿ｃｏｎｆｉｇ＿ｉｄｘ２、７、２、６、２、２によりサポートされ得る。ＵＥ２−５と、７−９の構成は、例えば、ＵＥ２については、ＳＳＦ＿ｃｏｎｆｉｇ＿ｉｄ１及び０といった、２つのグラントを送信することにより処理され得る。より多くのケースをサポートするために、ＳＳＦ＿ｃｏｎｆｉｇ＿ｉｄフィールドに多くのビットを追加することができる。
【００７２】
例示的実施形態６
他の実施形態において、データシンボル及びＤＭＲＳシンボルの両方を示すために、ダイレクトビットマップが使用される。つまり、フィールドまたはビットマップが、直接、グラントに関するシンボル数と、基準信号及び／又はデータにどのシンボルが割り当てられたかを示す。以下のサブ実施形態が可能である。
【００７３】
例示的実施形態６ａ
割り当て開始は、上述した様に、どこでＤＣＩが送信されたかに関連して固定的であり、複数のビットにより、割り当てられた全シンボル数が示される。一例において、値１がデータシンボルを示し、０がＤＭＲＳを示す。表７は、３シンボル長のＳＳＦを割り当てる例を示している。典型的に、１つのＤＭＲＳ割り当てと、１つ以上のデータ割り当てがあり得る。しかしながら、システム要求に応じて、例えば、信頼性の目的で、必要に応じて２以上のＤＭＲＳをスケジューリングする実施形態も可能である。特別なケースでは、他の予め定義された割り当てを有し、表は、ＳＳＦ＿ｃｏｎｆｉｇ＿ｉｄｘ＝０００の１つの例を示している。
【００７４】
【表７】
2020025281.tif 000009
【００７５】
例示的実施形態６ｂ
例示的実施形態６ｂは、例示的実施形態６ａと例示的実施形態５の組み合わせである。ビットマップに対応するビットストリーム又は数であるＳＳＦ＿ｃｏｎｆｉｇ＿ｉｄｘがある。これは、ビットマップのサブセットのみを示すことを可能にする。表８は、２ビットで示される３つのＳＳＦの例示的な長さでこのオプションを示している。
【００７６】
【表８】
2020025281.tif 000010
【００７７】
例示的実施形態６ｃ
例示的実施形態６ｃにおいて、ＳＳＦ割り当ては変化し、ビットマップのビット数は、最も長い可能な割り当てを示している。割り当ては、ビットマップのビットにより示されるときに開始し、予め定義されたルールが、ＤＭＲＳが送信される場所を示している。ビットマップのビット値１は、データ又はＤＭＲＳが割り当てられていることを示し、ビット値０は、割り当てがないことを示している。各割り当てにおけるＤＭＲＳの位置は、予め定義される。固定又は予め定義されたＤＭＲＳ位置の例は、ＤＭＲＳは常に最初又はｎ番目のシンボルで送信される、ＤＭＲＳは、従来のサブフレームの予め定義された固定位置である、ＤＭＲＳに予め割り当てられたシンボルに対応するビット値が１であると、ＵＥはそのシンボルでＤＭＲＳを送信する。表９は、個別のＳＳＦ＿ｃｏｎｆｉｇ＿ｉｄｘ及びビットマップを使用するこの例示的な実施形態を示すが、ダイレクトビットマップも同様に使用され得る。表９の例において、ＤＭＲＳは、常に、最初のシンボルで送信されることが想定されている。
【００７８】
【表９】
2020025281.tif 000011
【００７９】
方法の例示的な実装
図３は、上りリンクにおいて無線デバイス４５０をスケジューリングするために、無線通信ネットワークのネットワークノード４００により実行される方法の一実施形態を示すフローチャートである。無線デバイス及びネットワークノードにより使用される上りリンク信号構造は、シンボル期間に分割される送信サブフレームを定義する。ネットワークノードは、サブ−サブフレーム（つまり、ｓＴＴＩ）スケジューリング間隔を適用し、サブ−サブフレームは、少なくとも1つのシンボル期間を含む。各サブ−サブフレームは、サブフレームより短い。
【００８０】
制御情報メッセージ送信ステップ２１０において、ネットワークノードは、サブ−サブフレームスケジューリング間隔のための制御情報メッセージを無線デバイスに送信する。制御情報メッセージは、無線デバイスに割り当てられた上りリンクスケジューリング情報を有する。上述した実施形態１から６で詳細を述べた様に、上りリンクスケジューリング情報は、上りリンクサブ−サブフレームの基準信号及びデータの少なくとも１つの位置及び長さを示す。
【００８１】
一実施形態において、制御情報メッセージは、上りリンクサブ−サブフレームの各基準信号及びデータの位置及び長さを示す。
【００８２】
一実施形態において、上りリンクスケジューリング情報は、上りリンクサブ−サブフレームの長さも示す。
【００８３】
制御情報メッセージは、無線デバイス固有であり得る。言い換えると、各無線デバイスは、自身の制御情報メッセージを受信できる。
【００８４】
一実施形態において、上りリンクスケジューリング情報は、例えば、上述した実施形態５及び６に従い、基準信号の位置及び長さのみを示す。
【００８５】
一実施形態において、上りリンクスケジューリング情報は、例えば、上述した実施形態５及び６に従い、複数の基準信号の位置及び長さを示す。
【００８６】
一実施形態において、上りリンクスケジューリング情報は、例えば、上述した実施形態５及び６に従い、データの位置及び長さのみを示す。言い換えると、基準信号は、特定の上りリンクスケジューリング情報において割り当てられない。
【００８７】
オプションである、基準信号及びデータの少なくとも１つを受信するステップ２２０において、ネットワークノードは、送信された制御情報メッセージに従い、無線デバイスから上りリンクサブ−サブフレームで基準信号及びデータの少なくとも１つを受信する。
【００８８】
基準信号及びデータの少なくとも１つは、ショート物理上りリンク共用チャネル（ｓＰＵＳＣＨ）又はショート物理上りリンク制御チャネル（ｓＰＵＣＣＨ）で受信され得る。
【００８９】
上述した様に、通信ネットワークは、３ＧＰＰ標準に従い、ロングタームエボリューション（ＬＴＥ）ネットワーク又はＬＴＥアドバンスドネットワークとして構成され得る。その様な場合、基準信号は、復調基準シンボル（ＤＭＲＳ）を含む。
【００９０】
図４は、上りリンクで信号を送信するため、無線通信ネットワークの無線デバイス４５０により実行される方法の一実施形態のフローチャートを示している。無線デバイスにより使用される上りリンク信号構造は、シンボル期間に分割される送信サブフレームを定義する。無線デバイスは、上りリンクにおいて、サブ−サブフレーム（つまりｓＴＴＩ）スケジューリング間隔でスケジューリングされる。サブ−サブフレームは、少なくとも1つのシンボル期間を含む。各サブ−サブフレームは、サブフレームより短い。
【００９１】
制御情報メッセージを受信するステップ３１０において、サブ−サブフレームスケジューリング間隔についての制御情報メッセージをネットワークノードから受信する。制御情報メッセージは、無線デバイスに割り当てられた上りリンクスケジューリング情報を有する。上述した実施形態１から６で詳細を述べた様に、上りリンクスケジューリング情報は、上りリンクサブ−サブフレームの基準信号及びデータの少なくとも１つの位置及び長さを示す。
【００９２】
一実施形態において、上りリンクスケジューリング情報は、上りリンクサブ−サブフレームの各基準信号及びデータの位置及び長さを示す。
【００９３】
一実施形態において、上りリンクスケジューリング情報は、上りリンクサブ−サブフレームの長さも示す。
【００９４】
制御情報メッセージは、無線デバイス固有であり得る。言い換えると、各無線デバイスは、自身の制御情報メッセージを受信できる。
【００９５】
一実施形態において、上りリンクスケジューリング情報は、例えば、上述した実施形態５及び６に従い、基準信号の位置及び長さのみを示す。
【００９６】
一実施形態において、上りリンクスケジューリング情報は、例えば、上述した実施形態５及び６に従い、複数の基準信号の位置及び長さを示す。
【００９７】
一実施形態において、上りリンクスケジューリング情報は、例えば、上述した実施形態５及び６に従い、データの位置及び長さのみを示す。言い換えると、基準信号は、特定の上りリンクスケジューリング情報において割り当てられない。
【００９８】
方法は、基準信号及びデータの少なくとも１つを送信するステップ３２０も含み、ステップ３２０において、無線デバイスは、受信した制御情報メッセージに従い、上りリンクサブ−サブフレームで基準信号及びデータの少なくとも１つを送信する。
【００９９】
基準信号及びデータの少なくとも１つは、ショート物理上りリンク共用チャネル（ｓＰＵＳＣＨ）又はショート物理上りリンク制御チャネル（ｓＰＵＣＣＨ）で送信され得る。
【０１００】
上述した様に、通信ネットワークは、３ＧＰＰ標準に従い、ロングタームエボリューション（ＬＴＥ）ネットワーク又はＬＴＥアドバンスドネットワークとして構成され得る。その様な場合、基準信号は、復調基準シンボル（ＤＭＲＳ）を含む。
【０１０１】
図３及び図４の方法の実施形態を用いることで、ｓＴＴＩでのデータを割り当て方の多大な自由度が達成される。この自由度は、任意の適切な構成で任意のデータ及び／又は基準信号の割り当てを可能にする。さらに、シグナリングが大変効率的な方法で提供される。
【０１０２】
無線デバイス及びネットワークノードの例示的な実装
図５は、特定の実施形態におけるネットワークノード４００及び無線デバイス４５０のブロック図である。ここで、無線デバイス４５０は、ネットワークノード４００と通信している。
【０１０３】
ネットワークノード４００は、無線デバイスと通信するための通信インタフェース回路４０３を含む。ネットワークノードがｅＮｏｄｅＢであると、通信インタフェース回路は、同じ又は異なる送信／受信アンテナにアンテナポートを介して接続され得る送受信機回路を含み得る。ネットワークノードは、メモリ４０２に接続されるプロセッサ回路４０１を含み得る制御回路も含む。制御回路は、例えば、受信機及び送信機、及び／又は、送受信機機能を提供する、通信インタフェース回路に接続される。ネットワークノード４００は、本開示のネットワークノードにより実行される任意の方法を実行する様に構成され得る。メモリ４０２は、プロセッサ回路４０１で実行可能な命令を含み、これにより、ネットワークノード４００は、本開示の方法を実行する様に動作する。
【０１０４】
図５の無線デバイス４５０は、ネットワークと通信するための受信機回路４５３及び送信機回路４５４を含む。受信機回路及び送信機回路は、１つ以上アンテナポートを介して同じ又は異なる送信／受信アンテナに接続され得る。無線デバイス４５０は、メモリ４５２に接続されるプロセッサ回路４５１を含み得る制御回路も含む。制御回路は、例えば、受信機及び送信機機能を提供する、送信機回路及び受信機回路に接続される。無線デバイス４５０は、本開示の無線デバイスにより実行される任意の方法を実行する様に構成され得る。メモリ４５２は、プロセッサ回路４５１で実行可能な命令を含み、これにより、無線デバイス４５０は、本開示の方法を実行する様に動作する。
【０１０５】
図５の実施形態を記述する異なる方法において、ネットワークノード４００は、単一ユニット又は複数ユニットであり得る中央処理ユニット（ＣＰＵ）を含む。さらに、ネットワークノード４００は、例えば、ＥＥＰＲＯＭ（電気的に消去可能なプログラム可能リードオンリーメモリ）、フラッシュメモリ、又は、ディスクドライブの形式である、少なくとも１つのコンピュータプログラム製品（ＣＰＰ）を含む。ＣＰＰは、コンピュータプログラムを含み、コンピュータプログラムは、ネットワークノード４００が実行すると、ＣＰＵに、例えば、図３に関して説明した手順のステップを実行させる、コード手段を有する。言い換えると、ＣＰＵがコード手段を実行しているとき、それは、図５の処理回路４０１に対応する。
【０１０６】
さらに、無線デバイス４５０は、単一ユニット又は複数ユニットであり得る中央処理ユニット（ＣＰＵ）と、例えば、ＥＥＰＲＯＭ（電気的に消去可能なプログラム可能リードオンリーメモリ）、フラッシュメモリ、又は、ディスクドライブの形式である、少なくとも１つのコンピュータプログラム製品（ＣＰＰ）を含み得る。ＣＰＰは、コンピュータプログラムを含み、コンピュータプログラムは、無線デバイス４５０が実行すると、ＣＰＵに、例えば、図４に関して説明した手順のステップを実行させる、コード手段を有する。言い換えると、ＣＰＵがコード手段を実行しているとき、それは、図５の処理回路４５１に対応する。
【０１０７】
図６は、一実施形態による図５の無線デバイス４５０の機能モジュールを示している。モジュールは、無線デバイス４５０で実行されるコンピュータプログラムの様なソフトウェア命令を使用して実現される。代わりに、或いは、追加して、モジュールは、ＡＳＩＣ（アプリケーション特定集積回路）、ＦＰＧＡ（フィールドプログラマブルゲートアレイ）、又は、個別論理回路の任意の１つ以上の様なハードウェアを用いて実現される。モジュールは、図４に示す方法のステップに対応する。
【０１０８】
受信機７０は、ステップ３１０に対応する。送信機７２は、ステップ３２０に対応する。
【０１０９】
図７は、一実施形態による図５のネットワークノード４００の機能モジュールを示している。モジュールは、ネットワークノード４００で実行されるコンピュータプログラムの様なソフトウェア命令を使用して実現される。代わりに、或いは、追加して、モジュールは、ＡＳＩＣ（アプリケーション特定集積回路）、ＦＰＧＡ（フィールドプログラマブルゲートアレイ）、又は、個別論理回路の任意の１つ以上の様なハードウェアを用いて実現される。モジュールは、図３に示す方法のステップに対応する。
【０１１０】
送信機８０は、ステップ２１０に対応する。受信機は、ステップ２２０に対応する。
【０１１１】
図８は、コンピュータ可読手段を有するコンピュータプログラム製品９０の一例を示している。このコンピュータ可読手段にコンピュータプログラム９１は格納され、コンピュータプログラムは、本開示の実施形態による方法をプロセッサに実行させる。本例において、コンピュータプログラム製品は、ＣＤ（コンパクトディスク）、ＤＶＤ（デジタル多目的ディスク）又はブルーレィディスクの様な光ディスクである。上述した様に、コンピュータプログラム製品は、図５のネットワークノード４００のメモリ４０２、及び／又は、無線デバイス４５０のメモリ４５２の様な、デバイスのメモリに担持され得る。コンピュータプログラム９１は、ここでは、光ディスクのトラックとして図示されているが、コンピュータプログラムは、例えば、ユニバーサルシリアルバス（ＵＳＢ）ドライブといった、取り外し可能な固体メモリの様な、コンピュータプログラム製品に適切な任意の方法で格納され得る。
【０１１２】
例示的な実施形態のリスト
以下に、ローマ数字で番号付けした、他の態様からの実施形態のリストを示す。
【０１１３】
ｉ．  上りリンクにおいて無線デバイスをスケジューリングするため、無線通信ネットワークのネットワークノードにより実行される方法であって、前記無線デバイス及び前記ネットワークノードに使用される上りリンク信号構造は、シンボル期間に分割される送信サブフレームを定義し、前記ネットワークノードは、サブ−サブフレームスケジューリング間隔を適用し、サブ−サブフレームは、少なくとも１つのシンボル期間を含み、前記方法は、
サブ−サブフレームスケジューリング間隔のために前記無線デバイスに制御情報メッセージを送信することを含み、前記制御情報メッセージは、上りリンクスケジューリング情報を含み、前記上りリンクスケジューリング情報は、上りリンクサブ−サブフレームの長さと、前記上りリンクサブ−サブフレームの各基準信号及びデータの位置及び長さを示している。
【０１１４】
ｉｉ．  実施形態ｉの方法であって、前記上りリンクスケジューリング情報は、前記制御情報メッセージの前記送信後、ある数のシンボル期間で開始するサブ−サブフレームで有効である。
【０１１５】
ｉｉｉ．  実施形態ｉｉの方法であって、前記ある数のシンボル期間は、予め構成され、或いは、前記制御情報メッセージで示される。
【０１１６】
ｉｖ．  実施形態ｉからｉｉｉのいずれかの方法であって、前記位置及び長さは、シンボル期間の粒度で示される。
【０１１７】
ｖ．  実施形態ｉからｉｖのいずれかの方法であって、前記上りリンクスケジューリング情報は、
前記上りリンクサブ−サブフレームの少なくとも１つの基準信号の位置を示すパラメータと、
前記上りリンクサブ−サブフレームの前記データの開始位置を示すパラメータと、
前記上りリンクサブ−サブフレームの前記データの長さを示すパラメータ、又は、前記サブ−サブフレームの長さを示すパラメータと、を有する。
【０１１８】
ｖｉ．  実施形態ｖに記載の方法であって、さらに、前記上りリンクサブ−サブフレームに基準信号のみをスケジュールすると判定することを含み、判定したスケジュールを示すために、前記上りリンクサブ−サブフレームにおけるデータ開始位置を示す前記パラメータは、例えば、値０といった、所定値に設定される。
【０１１９】
ｖｉｉ．  実施形態ｖに記載の方法であって、さらに、前記上りリンクサブ−サブフレームにおいて基準信号をスケジュールしないと判定することを含み、判定したスケジュールを示すために、前記少なくとも１つの基準信号の位置を示す前記パラメータは、例えば、値０といった、所定値に設定される。
【０１２０】
ｖｉｉｉ．  実施形態ｖに記載の方法であって、さらに、前記上りリンクサブ−サブフレームにおいて２つ以上の基準信号をスケジュールすると判定することを含み、判定したスケジュールを示すために、前記上りリンクスケジューリング情報は、前記上りリンクサブ−サブフレームの基準信号の位置を示す少なくとの１つの更なるパラメータを含む。
【０１２１】
ｉｘ．  実施形態ｖからｖｉｉｉのいずれかの方法であって、前記上りリンクサブ−サブフレームのデータの開始位置を特定する前記パラメータは、前記基準信号のサイクリックシフトインデクス又はシンボル期間のインデクスである。
【０１２２】
ｘ．  実施形態ｉからｉｖのいずれかの方法であって、前記上りリンクスケジューリング情報は、
前記サブ−サブフレームの最初のシンボル期間と少なくとも１つのターゲットシンボル期間位置との間のシンボル期間の数でのタイムオフセットを示すパラメータであって、前記少なくとも１つのターゲットシンボル期間位置は、前記上りリンクサブ−サブフレームの基準信号の位置、或いは、前記上りリンクサブ−サブフレームのデータの開始位置である、前記タイムオフセットを示すパラメータと、
前記タイムオフセットが前記基準信号の位置に適用されるか、前記データの開始位置に適用されるかを示すシフトフラグパラメータと、
前記上りリンクサブ−サブフレームの前記データの長さを示す、或いは、前記サブ−サブフレームの長さを示すパラメータと、を有する。
【０１２３】
ｘｉ．  実施形態ｘに記載の方法であって、さらに、前記上りリンクサブ−サブフレームにおいて基準信号のみをスケジューリングすると判定することを含み、前記シフトフラグパラメータは、前記タイムオフセットが前記データの開始位置に適用されていることを示す様に設定され、判定したスケジュールを示すために、前記タイムオフセットを示す前記パラメータは、例えば、値０といった、所定値に設定される。
【０１２４】
ｘｉｉ．  実施形態ｘに記載の方法であって、さらに、前記上りリンクサブ−サブフレームにおいて基準信号をスケジューリングしないと判定することを含み、前記シフトフラグパラメータは、前記タイムオフセットが前記基準信号の位置に適用されていることを示す様に設定され、判定したスケジュールを示すために、前記タイムオフセットを示す前記パラメータは、例えば、値０といった、所定値に設定される。
【０１２５】
ｘｉｉｉ．  実施形態ｘに記載の方法であって、さらに、前記上りリンクサブ−サブフレームにおいて２つ以上の基準信号をスケジューリングすると判定することを含み、前記上りリンクスケジューリング情報は、判定したスケジュールを示すために、タイムオフセットを示す少なくとの１つの更なるパラメータを含む。
【０１２６】
ｘｉｖ．  実施形態ｉからｉｖのいずれかの方法であって、前記上りリンクスケジューリング情報は、
前記データの開始位置及び前記基準信号の開始位置を示す開始位置パラメータであって、前記開始位置パラメータの符号は、前記サブ−サブフレームの最初のシンボル期間で開始するのが前記データであるか、前記基準シンボルであるかを示し、前記開始位置パラメータの値は、他の開始位置のインデクスを示す、前記開始位置パラメータと、
前記上りリンクサブ−サブフレームの前記データの長さ、或いは、前記サブ−サブフレームの長さを示すパラメータと、を有する。
【０１２７】
ｘｖ．  実施形態ｖ、ｘ又はｘｉｖに記載の方法であって、さらに、前記上りリンクサブ−サブフレームにおいて基準信号のみをスケジューリングすると判定することを含み、判定したスケジュールを示すために、前記上りリンクサブ−サブフレームにおけるデータの長さを示す前記パラメータは、或いは、前記サブ−サブフレームの長さを示す前記パラメータは、例えば、値０といった、所定値に設定される。
【０１２８】
ｘｖｉ．  実施形態ｘｉｖに記載の方法であって、さらに、前記上りリンクサブ−サブフレームにおいて基準信号をスケジューリングしないと判定することを含み、判定したスケジュールを示すために、前記開始位置パラメータは所定値に設定される。
【０１２９】
ｘｖｉｉ．  実施形態ｘｉｖに記載の方法であって、さらに、前記上りリンクサブ−サブフレームにおいて２つ以上の基準信号をスケジューリングすると判定することを含み、前記上りリンクスケジューリング情報は、判定したスケジュールを示すために、少なくとも１つの更なる開始位置パラメータを含む。
【０１３０】
ｘｖｉｉｉ．  実施形態ｉからｉｖのいずれかの方法であって、前記上りリンクスケジューリング情報は、定義された上りリンクサブ−サブフレーム構成の集合の１つにマッピングする少なくとも１つの構成インデクスパラメータを有し、各定義された上りリンクサブ−サブフレーム構成は、前記上りリンクサブ−サブフレームの長さと、前記上りリンクサブ−サブフレームの各基準信号及びデータの位置と、前記上りリンクサブ−サブフレームの各基準信号及びデータの長さの少なくとも1つを示す。
【０１３１】
ｘｉｘ．  実施形態ｘｖｉｉｉの方法であって、前記構成インデクスパラメータはビットマップを有し、前記ビットマップのビットは、前記上りリンクサブ−サブフレームの位置に対応し、前記ビットの値は、対応する位置が基準信号に使用されているか、データに使用されているかを示す。
【０１３２】
ｘｘ．  実施形態ｉからｘｉｘのいずれかの方法であって、さらに、送信された前記制御情報メッセージに従い、前記上りリンクサブ−サブフレームで前記無線デバイスから基準信号及びデータの少なくとも１つを受信することを含む。
【０１３３】
ｘｘｉ．  実施形態ｉからｘｘのいずれかの方法であって、前記サブ−サブフレームは、送信時間間隔である。
【０１３４】
ｘｘｉｉ．  実施形態ｉからｘｘｉのいずれかの方法であって、前記上りリンクスケジューリング情報は、前記サブ−サブフレームの構成を示す。
【０１３５】
ｘｘｉｉｉ．  実施形態ｉからｘｘｉｉのいずれかの方法であって、基準信号及びデータの少なくとも１つは、ショート物理上りリンク共用チャネル（ｓＰＵＳＣＨ）又はショート物理上りリンク制御チャネル（ｓＰＵＣＣＨ）で受信される。
【０１３６】
ｘｘｉｖ．  実施形態ｉからｘｘｉｉｉのいずれかの方法であって、前記ネットワークノードは、前記無線デバイスに関するサービング無線ネットワークノードとして動作し、或いは、前記無線デバイスのために通信ネットワークへの無線コネクションを提供する。
【０１３７】
ｘｘｖ．  実施形態ｉからｘｘｉｖのいずれかの方法であって、前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む。
【０１３８】
ｘｘｖｉ．  無線通信ネットワークで動作する様に構成され、シンボル期間に分割される送信サブフレームを定義する上りリンク信号構造を使用する様に構成され、上りリンクにおいて無線デバイスをスケジューリングし、サブ−サブフレームスケジューリング間隔を適用する様に構成されるネットワークノードであって、サブ−サブフレームは、少なくとも1つのシンボル期間を含み、ネットワークノードは、さらに、実施形態ｉからｘｘｖのいずれかの方法を実行する様に構成される。
【０１３９】
ｘｘｖｉｉ．  実施形態ｘｘｖｉのネットワークノードであって、前記無線デバイスに信号を送信し、前記無線デバイスから信号を受信する様に構成された無線送受信機回路と、前記無線送受信機回路と動作可能に関連付けられる処理回路と、前記処理回路と動作可能に関連付けられるメモリと、を有し、前記メモリは、前記処理回路により実行可能な命令を有し、これにより、前記ネットワークノードは、実施形態ｉからｘｘｖのいずれかの方法を実行する様に動作する。
【０１４０】
ｘｘｖｉｉｉ．  上りリンクにおいて信号を送信するため、無線通信ネットワークの無線デバイスにより実行される方法であって、前記無線デバイスにより使用される上りリンク信号構造がシンボル期間に分割される送信サブフレームを定義し、前記無線デバイスは、上りリンクにおいて、サブ−サブフレームスケジューリング間隔でスケジューリングされ、サブ−サブフレームは、少なくとも１つのシンボル期間を含み、前記方法は、
サブ−サブフレームスケジューリング間隔のためにネットワークノードから制御情報メッセージを受信することであって、前記制御情報メッセージは、上りリンクサブ−サブフレームの長さと、前記上りリンクサブ−サブフレームの各基準信号及びデータの位置及び長さを示す上りリンクスケジューリング情報を含む、前記受信することと、
受信した前記制御情報メッセージに従い、前記上りリンクサブ−サブフレームで基準信号及びデータの少なくとも１つを送信することと、を含む。
【０１４１】
ｘｘｉｘ．  実施形態ｘｘｖｉｉｉの方法であって、前記上りリンクスケジューリング情報は、前記制御情報メッセージの前記受信後、ある数のシンボル期間で開始するサブ−サブフレームで有効である。
【０１４２】
ｘｘｘ．  実施形態ｘｘｉｘの方法であって、前記ある数のシンボル期間は、予め構成され、或いは、前記制御情報メッセージで示される。
【０１４３】
ｘｘｘｉ．  実施形態ｘｘｖｉｉｉからｘｘｘのいずれかの方法であって、前記位置及び長さは、シンボル期間の粒度で示される。
【０１４４】
ｘｘｘｉｉ．  実施形態ｘｘｖｉｉｉからｘｘｘｉのいずれかの方法であって、前記上りリンクスケジューリング情報は、
上りリンクサブ−サブフレームの基準信号の位置を示すパラメータと、
前記上りリンクサブ−サブフレームの前記データの開始位置を示すパラメータと、
前記上りリンクサブ−サブフレームの前記データの長さを示すパラメータ、又は、前記サブ−サブフレームの長さを示すパラメータと、を有する。
【０１４５】
ｘｘｘｉｉｉ．  実施形態ｘｘｘｉｉの方法であって、前記上りリンクサブ−サブフレームのデータの開始位置を特定するパラメータは、前記基準信号のサイクリックシフトインデクス又はシンボル期間のインデクスである。
【０１４６】
ｘｘｘｉｖ．  実施形態ｘｘｖｉｉｉからｘｘｘｉのいずれかの方法であって、前記上りリンクスケジューリング情報は、
前記サブ−サブフレームの最初のシンボル期間とターゲットシンボル期間位置との間のシンボル期間の数でのタイムオフセットを示すパラメータであって、前記ターゲットシンボル期間位置は、前記上りリンクサブ−サブフレームの基準信号の位置、或いは、前記上りリンクサブ−サブフレームのデータの開始位置である、前記タイムオフセットを示すパラメータと、
前記タイムオフセットが前記基準信号の位置に適用されるか、前記データの開始位置に適用されるかを示すシフトフラグパラメータと、前記上りリンクサブ−サブフレームの前記データの長さを示す、或いは、前記サブ−サブフレームの長さを示すパラメータと、を有する。
【０１４７】
ｘｘｘｖ．  実施形態ｘｘｖｉｉｉからｘｘｘｉのいずれかの方法であって、前記上りリンクスケジューリング情報は、
前記データの開始位置及び前記基準信号の開始位置を示す開始位置パラメータであって、前記開始位置パラメータの符号は、前記サブ−サブフレームの最初のシンボル期間で開始するのが前記データであるか、前記基準シンボルであるかを示し、前記開始位置パラメータの値は、他の開始位置のインデクスを示す、前記開始位置パラメータと、
前記上りリンクサブ−サブフレームの前記データの長さ、或いは、前記サブ−サブフレームの長さを示すパラメータと、を有する。
【０１４８】
ｘｘｘｖｉ．  実施形態ｘｘｖｉｉｉからｘｘｘｉのいずれかの方法であって、前記上りリンクスケジューリング情報は、
定義された上りリンクサブ−サブフレーム構成の集合の１つにマッピングする少なくとも１つの構成インデクスパラメータを有し、各定義された上りリンクサブ−サブフレーム構成は、前記上りリンクサブ−サブフレームの長さと、前記上りリンクサブ−サブフレームの各基準信号及びデータの位置と、前記上りリンクサブ−サブフレームの各基準信号及びデータの長さとの少なくとも1つを示す。
【０１４９】
ｘｘｘｖｉｉ．  実施形態ｘｖｉｉｉの方法であって、前記構成インデクスパラメータはビットマップを有し、前記ビットマップのビットは、前記上りリンクサブ−サブフレームの位置に対応し、前記ビットの値は、対応する位置が基準信号に使用されているか、データに使用されているかを示す。
【０１５０】
ｘｘｘｖｉｉｉ．  実施形態ｘｘｘｖｉｉｉからｘｘｘｖｉｉのいずれかの方法であって、前記サブ−サブフレームは、送信時間間隔である。
【０１５１】
ｘｘｘｉｘ．  実施形態ｘｘｘｖｉｉｉからｘｘｘｖｉｉｉのいずれかの方法であって、前記上りリンクスケジューリング情報は、前記サブ−サブフレームの構成を示す。
【０１５２】
ｘｌ．  実施形態ｘｘｘｖｉｉｉからｘｘｘｉｘのいずれかの方法であって、基準信号及びデータの少なくとも１つは、ショート物理上りリンク共用チャネル（ｓＰＵＳＣＨ）又はショート物理上りリンク制御チャネル（ｓＰＵＣＣＨ）で送信される。
【０１５３】
ｘｌｉ．  実施形態ｘｘｘｖｉｉｉからｘｌのいずれかの方法であって、前記ネットワークノードは、前記無線デバイスに関するサービング無線ネットワークノードとして動作し、或いは、前記無線デバイスのために通信ネットワークへの無線コネクションを提供する。
【０１５４】
ｘｌｉｉ．  実施形態ｘｘｘｖｉｉｉからｘｌｉのいずれかの方法であって、前記通信ネットワークは、第３世代パートナーシッププロジェクト（３ＧＰＰ）仕様による、ロングタームエボリューション（ＬＴＥ）ネットワーク又はＬＴＥアドバンスドネットワークとして構成され、前記基準信号は、復調基準シンボル（ＤＭＲＳ）を含む。
【０１５５】
ｘｌｉｉｉ．  無線通信ネットワークで動作する様に構成され、シンボル期間に分割される送信サブフレームを定義する上りリンク信号構造を使用する様に構成され、上りリンクにおいてサブ−サブフレームスケジューリング間隔でスケジューリングされる様に構成される無線デバイスであって、サブ−サブフレームは、少なくとも1つのシンボル期間を含み、無線デバイスは、さらに、実施形態ｘｘｘｖｉｉｉからｘｌｉｉのいずれかの方法を実行する様に構成される。
【０１５６】
ｘｌｉｖ．  実施形態ｘｌｉｉｉの無線デバイスであって、前記ネットワークノードに信号を送信し、前記ネットワークノードから信号を受信する様に構成された無線送受信機回路と、前記送受信機回路と動作可能に関連付けられる処理回路と、前記処理回路と動作可能に関連付けられるメモリと、を有し、前記メモリは、前記処理回路により実行可能な命令を有し、これにより、前記無線デバイスは、実施形態ｘｘｘｖｉｉｉからｘｌｉｉのいずれかの方法を実行する様に動作する。
【０１５７】
ｘｌｖ．  ネットワークノードで実行されると、前記ネットワークノードに実施形態ｉからｘｘｖのいずれかの方法を実行させるコンピュータ可読コードを含むコンピュータプログラム。
【０１５８】
ｘｌｖｉ．  無線デバイスで実行されると、前記無線デバイスに実施形態ｘｘｘｖｉｉｉからｘｌｉｉのいずれかの方法を実行させるコンピュータ可読コードを含むコンピュータプログラム。
【０１５９】
ｘｌｖｉｉ．  コンピュータ可読記憶媒体と、実施形態ｘｌｖからｘｌｖｉのいずれかのコンピュータプログラムを含み、前記コンピュータプログラムは、前記コンピュータ可読記憶媒体に格納されているコンピュータプログラム製品。
【０１６０】
略語
ＢＬＥＲ：ブロック誤り率
ＤＣＩ：下りリンク制御情報
ｅＰＤＣＣＨ：拡張物理下りリンク制御チャネル
ＬＴＥ：ロングタームエボリューション
ＭＡＣ：媒体アクセス制御
ＭＣＳ：変調及び符号化法
ＯＦＤＭ：直交周波数分割多重アクセス
ＰＤＣＣＨ：物理下りリンク制御チャネル
ＰＤＳＣＨ：物理下りリンク共用チャネル
ＰＲＢ：物理リソースブロック
ＰＵＳＣＨ：物理上りリンク共用チャネル
ＲＡＴ：無線アクセス技術
ＲＢ：リソースブロック
ＲＥ：リソースエレメント
ＲＲＣ：無線リソース制御
ＳＣ−ＦＤＭＡ：シングルキャリア―周波数分割多重アクセス
ｓＰＤＣＣＨ：ショート物理下りリンク制御チャネル
ｓＰＤＳＣＨ：ショート物理下りリンク共用チャネル
ｓＰＵＳＣＨ：ショート物理上りリンク共用チャネル
ＳＦ：サブフレーム
ＳＳＦ：サブ−サブフレーム
ＴＴＩ：送信時間間隔 
ｓＴＴＩ：ショート送信時間間隔
【０１６１】
本発明について、主に、幾つかの実施形態を参照して説明した。しかしながら、当業者には容易に理解される様に、上述した以外の他の実施形態が、添付の特許請求の範囲で規定される、本発明の範囲内で同様に可能である。
【図１】
2020025281.tif 000012
【図２】
2020025281.tif 000013
【図３】
2020025281.tif 000014
【図４】
2020025281.tif 000015
【図５】
2020025281.tif 000016
【図６】
2020025281.tif 000017
【図７】
2020025281.tif 000018
【図８】
2020025281.tif 000019
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
上りリンク（４ｂ）において無線デバイス（４５０）をスケジューリングするため、無線通信ネットワーク（８）のネットワークノード（４００）により実行される方法であって、上りリンク信号構造が前記無線デバイス及び前記ネットワークノードに使用される様に構成され、前記上りリンク信号構造は、シンボル期間に分割される送信サブフレームを定義し、前記ネットワークノードは、ショートスケジューリング間隔を適用し、前記ショートスケジューリング間隔は、サブフレームより時間的に短く、かつ、少なくとも１つのシンボル期間を含み、前記方法は、
ショートスケジューリング間隔のために前記無線デバイスに制御情報メッセージを送信すること（２１０）を含み、前記制御情報メッセージは、前記無線デバイスに割り当てられた上りリンクスケジューリング情報を含み、前記上りリンクスケジューリング情報は、前記上りリンクのショートスケジューリング間隔における基準信号の位置及び長さを示す、方法。
【請求項２】
請求項１に記載の方法であって、
前記上りリンクスケジューリング情報は、前記上りリンクのショートスケジューリング間隔における前記基準信号及びデータの両方についての位置及び長さを含む、方法。
【請求項３】
請求項１又は２に記載の方法であって、
前記制御情報メッセージは、前記無線デバイスに特定である、方法。
【請求項４】
請求項１から３のいずれか１項に記載の方法であって、さらに、
送信された前記制御情報メッセージに従い、前記上りリンクのショートスケジューリング間隔で前記無線デバイスから前記基準信号を受信すること（２２０）を含む、方法。
【請求項５】
ネットワークノード（４００）であって、
上りリンクにおいて無線デバイスをスケジューリングするため、無線通信ネットワークの前記ネットワークノードにより制御情報メッセージを送信する手段を備え、上りリンク信号構造が、前記無線デバイス及び前記ネットワークノードにより使用される様に構成され、前記上りリンク信号構造は、シンボル期間に分割される送信サブフレームを定義し、前記ネットワークノードは、ショートスケジューリング間隔を適用し、前記ショートスケジューリング間隔は、サブフレームより時間的に短く、かつ、少なくとも１シンボル期間を有し、前記制御情報メッセージは、ショートスケジューリング間隔のために前記無線デバイスに送信される様に構成され、前記制御情報メッセージは、前記無線デバイスに割り当てられた上りリンクスケジューリング情報を含み、前記上りリンクスケジューリング情報は、前記上りリンクのショートスケジューリング間隔における基準信号の位置及び長さを示す、ネットワークノード。
【請求項６】
請求項５に記載のネットワークノード（４００）であって、
前記上りリンクスケジューリング情報は、前記上りリンクのショートスケジューリング間隔における前記基準信号及びデータの両方についての位置及び長さを含む、ネットワークノード。
【請求項７】
請求項５又は６に記載のネットワークノード（４００）であって、
前記制御情報メッセージは、前記無線デバイスに特定である、ネットワークノード。
【請求項８】
請求項５から７のいずれか１項に記載のネットワークノード（４００）であって、さらに、
送信された前記制御情報メッセージに従い、前記上りリンクのショートスケジューリング間隔で前記無線デバイスから前記基準信号を受信する手段を含む、ネットワークノード。
【請求項９】
無線通信ネットワークのネットワークノードの動作のためのコンピュータプログラム（９１）であって、前記コンピュータプログラムは、シンボル期間に分割される送信サブフレームを定義する上りリンク信号構造を使用し、上りリンクにおいて無線デバイスをスケジューリングし、ショートスケジューリング間隔を適用する様に構成され、前記ショートスケジューリング間隔は、サブフレームより時間的に短く、かつ、少なくとも１つのシンボル期間を含み、前記コンピュータプログラムは、コンピュータプログラムコードを有し、前記コンピュータプログラムコードは、前記ネットワークノードで実行されると、前記ネットワークノードに、
ショートスケジューリング間隔のために前記無線デバイスに向けて制御情報メッセージを送信させ、前記制御情報メッセージは、前記無線デバイスに割り当てられた上りリンクスケジューリング情報を含み、前記上りリンクスケジューリング情報は、前記上りリンクのショートスケジューリング間隔における基準信号の位置及び長さを示す、コンピュータプログラム。
【請求項１０】
請求項９に記載のコンピュータプログラム（９１）を有するコンピュータ可読記憶媒体。
【請求項１１】
上りリンクにおいて信号を送信するため、無線通信ネットワークの無線デバイスにより実行される方法であって、前記無線デバイスにより使用される上りリンク信号構造が、シンボル期間に分割される送信サブフレームを定義し、前記無線デバイスは、上りリンクにおいて、ショートスケジューリング間隔でスケジューリングされ、各ショートスケジューリング間隔は、サブフレームより時間的に短く、かつ、少なくとも１つのシンボル期間を含み、前記方法は、
ショートスケジューリング間隔のために前記無線通信ネットワークのネットワークノードから制御情報メッセージを受信すること（３１０）であって、前記制御情報メッセージは、前記無線デバイスに割り当てられた上りリンクスケジューリング情報を含み、前記上りリンクスケジューリング情報は、前記上りリンクのショートスケジューリング間隔における基準信号の位置及び長さを示す、前記受信することと、
受信した前記制御情報メッセージに従い、前記上りリンクのショートスケジューリング間隔で前記基準信号を送信すること（３２０）と、を含む方法。
【請求項１２】
請求項１１に記載の方法であって、
前記上りリンクスケジューリング情報は、前記上りリンクのショートスケジューリング間隔における前記基準信号及びデータの両方についての位置及び長さを含む、方法。
【請求項１３】
請求項１１又は１２に記載の方法であって、
前記制御情報メッセージは、前記無線デバイスに特定である、方法。
【請求項１４】
無線デバイス（４５０）であって、
上りリンクで信号を送信するため、無線通信ネットワークのネットワークノードから制御情報メッセージを受信する手段であって、前記無線デバイスにより使用される上りリンク信号構造は、シンボル期間に分割される送信サブフレームを定義し、前記無線デバイスは、上りリンクにおいて、ショートスケジューリング間隔でスケジューリングされ、各ショートスケジューリング間隔は、サブフレームより時間的に短く、かつ、少なくとも１シンボル期間を含み、前記制御情報メッセージは、ショートスケジューリング間隔のためであり、前記無線デバイスに割り当てられた上りリンクスケジューリング情報を有し、前記上りリンクスケジューリング情報は、前記上りリンクのショートスケジューリング間隔における基準信号の位置及び長さを示す、前記受信する手段と、
受信した前記制御情報メッセージに従い、前記上りリンクのショートスケジューリング間隔において、前記基準信号を送信する手段と、を備えている無線デバイス。
【請求項１５】
請求項１４に記載の無線デバイス（４５０）であって、
前記上りリンクスケジューリング情報は、前記上りリンクのショートスケジューリング間隔における前記基準信号及びデータの両方についての位置及び長さを含む、無線デバイス。
【請求項１６】
請求項１４又は１５に記載の無線デバイス（４５０）であって、
前記制御情報メッセージは、前記無線デバイスに特定である、無線デバイス。
【請求項１７】
上りリンクにおいて信号を送信するための、無線通信ネットワークの無線デバイスによる動作のためのコンピュータプログラム（９１）であって、
前記無線デバイスにより使用される上りリンク信号構造は、シンボル期間に分割される送信サブフレームを定義し、前記無線デバイスは、上りリンクにおいて、ショートスケジューリング間隔でスケジューリングされ、各ショートスケジューリング間隔は、サブフレームより時間的に短く、かつ、少なくとも１つのシンボル期間を含み、前記コンピュータプログラムは、コンピュータプログラムコードを有し、前記コンピュータプログラムコードは、前記無線デバイスで実行されると、前記無線デバイスに、
ショートスケジューリング間隔のために前記無線通信ネットワークのネットワークノードから制御情報メッセージを受信させることであって、前記制御情報メッセージは、前記無線デバイスに割り当てられた上りリンクスケジューリング情報を含み、前記上りリンクスケジューリング情報は、前記上りリンクのショートスケジューリング間隔における基準信号の位置及び長さを示す、前記受信させることと、
受信した前記制御情報メッセージに従い、前記上りリンクのショートスケジューリング間隔で前記基準信号を送信させることと、を実行させるコンピュータプログラム。
【請求項１８】
請求項１７に記載のコンピュータプログラム（９１）を有するコンピュータ可読記憶媒体。
【外国語明細書】
2020025281000001.pdf